(57)【要約】【課題】  片麻痺患者が、健常者同様に床面に対して水平な座面に座れば、骨盤が麻痺側下がりに傾いた崩れた姿勢となってしまう。このような姿勢で行う動作や作業は、片麻痺患者にとって困難性を有するものとなる。本発明は、人の手を介することなく崩れた姿勢を修正する座面を提供する。【解決手段】  座面板１と底板２によって構成され、一側を蝶番３によって連結する。反対側は固定しない。固定していない側の高さを調節することにより、座面板１に傾斜をつける。この傾斜をつけた座面を、片麻痺患者が日常生活で使用している、車椅子や椅子の座面上に、傾斜が麻痺側上がりになるよう設置する。これによって、人の手を介することなく崩れた姿勢を修正し、立ち上がりにくい、座位姿勢で行う動作や作業がやりにくい、負担のかかる部位に痛みが出現する、というような困難性を軽減させる。【選択図】            図５
2005066250.tif 000002
【特許請求の範囲】
【請求項１】
車椅子又は椅子に設置するための、左右の一側が高くなり反対側が低くなるように傾斜をつけた座面。
【請求項２】
傾斜角度を調節する手段を設けた、請求項１記載の座面。
【請求項３】
座圧分散機能を有する、請求項１又は請求項２記載の座面。
【発明の詳細な説明】
【発明の詳細な説明】
【技術分野】
【０００１】  本発明は、片麻痺患者が日常生活において使用する、車椅子又は椅子の座面に関するものである。
【背景技術】
【０００２】  既製の車椅子や椅子の座面は、床面に対して水平である。高さ調節できる座面・前後方向に傾斜をつけている座面・長時間座ることができるように座圧分散機能を目的としたクッションが従来から発明されているが、左右方向に傾斜をつけている座面は存在しない。
【発明が解決しようとする課題】
【０００３】  現在、片麻痺患者が日常生活で座っている座面は、健常者同様、床面に対して水平である。しかし片麻痺患者の身体は健常者の身体とは異なる。麻痺側の支持性低下、麻痺側の筋の弾性力低下、麻痺側の廃用による筋萎縮という状態にある。このような状態で片麻痺患者が床面に対して水平な座面に座れば、図１のように、座面と接触している臀部の状態は、軟部組織上を坐骨が麻痺側方向へ滑っていき、骨盤が麻痺側下がりに傾いた崩れた姿勢となってしまう場合が多い。
【０００４】  この崩れた姿勢を保持するために、片麻痺患者は健側上下肢を使う。そのため片麻痺患者の健側上下肢は、いつも力んだ状態となり、自由性を失う。このような状態で行う動作や作業は、片麻痺患者にとって困難性を有するものとなる。立ち上がり動作は非常に大変な動作となり、介助が必要となる場合が多い。食事・整容・更衣・車椅子駆動・趣味活動など座位姿勢で行う作業や動作はやりにくい。また崩れた姿勢で座っているということは、様々なところに負担がかかり、痛みが出現することも多い。
【０００５】  片麻痺患者の麻痺の程度は重度から軽度まで個人によって異なる。そして麻痺の回復度合いも個人によって異なる。そのため座面と接触している臀部の軟部組織上を坐骨が麻痺側方向へ滑っていく程度は、麻痺の程度や麻痺の回復度合いによって異なる。すなわち、骨盤が麻痺側下がりに傾いた崩れた姿勢の程度は個人によって異なるものである。
【０００６】  本発明が解決しようとする課題は、座面と接触している臀部の軟部組織上を坐骨が麻痺側方向へ滑っている現象を、人の手を介することなく健側方向へ滑っていくよう修正する座面を提供する点にある。また麻痺の程度あるいは麻痺の回復度合いにより、軟部組織上を坐骨が健側方向へ滑る程度を調節できる座面を提供する点にある。
【課題を解決するための手段】
【０００７】  片麻痺患者が、健常者同様、床面に対して水平な座面に座れば、図１のように、軟部組織上を坐骨が麻痺側方向へ滑って、骨盤が麻痺側下がりに傾いた崩れた姿勢となる。立ち上がり動作・座位姿勢で行う作業や動作はやりにくくなり、負担部位には痛みが出現してしまう場合が多い。本発明の発明者は、片麻痺患者が日常生活で使用する車椅子や椅子の座面を、麻痺側上がりの傾斜をつけた座面とすれば、そのような欠点が軽減すると考えた。
【０００８】  本発明に係る座面は、片麻痺患者が日常生活で使用する、車椅子又は椅子の座面上に設置する座面である。
【０００９】  請求項１に係る座面は、左右の一側が高くなり反対側が低くなるように傾斜をつけたものである。片麻痺患者が日常生活で座る車椅子や椅子の座面上に、麻痺側が高く健側が低くなるように傾斜をつけた座面を設置する。この傾斜した座面に片麻痺患者が座れば、図２に示すようになる。骨盤は麻痺側上がりとなり、坐骨は重力と抗力によって健側方向へ力が加わって、座面と接触している軟部組織は座面との摩擦力によって麻痺側方向へ力が加わる。その結果、人の手を介することなく、軟部組織上を坐骨が健側方向へ滑っていくよう修正することができる。
【００１０】  また麻痺の程度あるいは麻痺の回復度合いにより、軟部組織上を坐骨が健側方向へ滑っていく程度を調節するために、請求項２に係る座面のように、傾斜角度を調節できるようにする。図３に示すように、座面板１と底板２によって構成され、一側を蝶番３によって連結する。反対側は固定しない。固定していない側の座面板１と底板２の間の高さを調節することにより、傾斜角度を調節することができる。
【００１１】  傾斜角度は、麻痺の程度が重度で骨盤の麻痺側下がり角度が大きいほど、すなわち姿勢の崩れ度合いが大きいほど、傾斜角度を増大する。逆に麻痺の程度が軽度で姿勢の崩れ度合いが少ないほど、傾斜角度を小さくする。またリハビリによる麻痺の回復に合わせ、傾斜角度を小さく調整していくことにより、個人に最も適した傾斜角度を選択する。
【００１２】  請求項１及び請求項２に示した座面は長時間座った時の臀部の耐久性を考慮していない。現在、片麻痺患者の座面には、長時間座れるように、低反発クッションをはじめとした座圧分散を目的とするクッションを処方する場合が多い。このクッションを使用したい場合は、請求項１及び請求項２の座面の上に設置して使用することになる。しかしこの場合の欠点として、別々に購入しなければならないというわずらわしさが出てくる。請求項３に係る座面は、そのわずらわしさを解消するためのものである。請求項１及び請求項２の傾斜した座面板上に圧分散機能を有するクッション部材が取り付けられている。
【実施例】
【００１３】実施例１
実施例１を図３・図４・図５に基づいて説明する。図３に示すように、座面板１と底板２によって構成され、一側を蝶番３によって連結する。反対側は固定しない。図４に示すように、底板２の下面には滑り止めシート４を貼り、この座面が滑らないようにする。座面板１の上面には弾性かつ摩擦性のある部材５を取り付ける。図５に示すように、固定していない側の座面板１と底板２の間に、折りたたんだり重ねることにより高さが調節できるタオルや新聞などを詰め込むことによって、座面に傾斜をつける。タオルや新聞など折りたたんだり重ねたりする量を調節することで、傾斜角度を調節する。これを車椅子又は椅子の座面の上に設置する。この上に圧分散クッションや座布団を敷いて、片麻痺患者の座面として使用する。また座面板１の上面には弾性のある部材を取り付けているため、圧分散クッションや座布団を敷かずにそのまま単独で使用するのも良い。右側麻痺と左側麻痺では使用方向が異なるため、左右反転させることによって、麻痺側が高くなるように使用する。【００１４】実施例２
実施例２を図６・図７・図８・図９・図１０・図１１に基づいて説明する。座面に傾斜をつける機構及び座面の傾斜角度を調節する機構を、以下に示すようにする。他の構成は実施例１と同様にする。図６に示すような溝Ａ・Ｂ・Ｃ・Ｄを有する部品６を、図１０に示すように底板２の上面に取り付ける。図７・図８・図９に示すような可動する部品７を、図１０に示すように座面板１の下面に取り付ける。図１１に示すように、部品７を部品６の溝Ａ・Ｂ・Ｃ・Ｄのいずれかに引っかけることで、座面に傾斜をつける。部品６の溝Ａ・Ｂ・Ｃ・Ｄの位置を変えることにより、座面傾斜角度を調節する。実施例１と同様に使用する。【００１５】実施例３
実施例３を図１２・図１３・図１４・図１５に基づいて説明する。座面に傾斜をつける機構及び座面の傾斜角度を調節する機構を、以下に示すようにする。他の構成は実施例２と同様にする。実施例２で使用した部品７の変わりに、図１２・図１３・図１４に示すような部品８を用いる。図１５のように取り付ける。図１６に示すように、部品８の長さを変えることにより座面傾斜角度を調節する。実施例１と同様に使用する。【００１６】実施例４
実施例４を図１７に基づいて説明する。実施例１・実施例２・実施例３の座面板１の上面は、弾性かつ摩擦性のある部材５である。この部分を圧分散機能を有する低反発クッション部材のものとする。
【発明の効果】
【００１７】  本発明の請求項１・請求項２・請求項３すべてに係る傾斜をつけた座面を、姿勢が崩れてしまう片麻痺患者が日常生活の中で使用すれば、崩れた姿勢を人の手を介することなく修正することができる。また、本発明の請求項２・請求項３に係る傾斜角度を調節することができる座面を使用すれば、麻痺の程度あるいは麻痺の回復度合いにより、傾斜角度を調節することができる。その結果、崩れた座位姿勢を保持するために活動していた健康側上下肢の自由性が獲得され、以下に示す効果が得られる。立ち上がり動作の介助量が軽減する、あるいは自立度が向上する。食事・整容・更衣・車椅子駆動・趣味活動など座位姿勢で行う作業や動作がやりやすくなる。負担のかかっている部位のストレスが軽減する。
【図面の簡単な説明】
【００１８】
【図１】  片麻痺患者が、床面に対して水平な座面に座った時の、臀部と座面の断面図である。
【図２】  片麻痺患者が、麻痺側が高く健側が低くなるように傾斜をつけた座面に座った時の、臀部と座面の断面図である。
【図３】  実施例１を示す斜視図である。
【図４】  実施例１の正面図である。
【図５】  実施例１を示す斜視図である。
【図６】  部品６を示す斜視図である。
【図７】  部品７を示す斜視図である。
【図８】  部品７の正面図である。
【図９】  部品７の側面図である。
【図１０】  実施例２を示す斜視図である。
【図１１】  実施例２の正面図である。
【図１２】  部品８を示す斜視図である。
【図１３】  部品８の正面図である。
【図１４】  部品８の側面図である。
【図１５】  実施例３を示す斜視図である。
【図１６】  実施例３の正面図である。
【図１７】  実施例４の正面図である。
【符号の説明】
【００１９】１  座面板
２  底板
３  蝶番
４  滑り止めシート
５  弾性かつ摩擦性のある部材
６  部品
７  部品
８  部品
９  低反発クッション部材
【図１】
2005066250.tif 000003
【図２】
2005066250.tif 000004
【図３】
2005066250.tif 000005
【図４】
2005066250.tif 000006
【図５】
2005066250.tif 000007
【図６】
2005066250.tif 000008
【図７】
2005066250.tif 000009
【図８】
2005066250.tif 000010
【図９】
2005066250.tif 000011
【図１０】
2005066250.tif 000012
【図１１】
2005066250.tif 000013
【図１２】
2005066250.tif 000014
【図１３】
2005066250.tif 000015
【図１４】
2005066250.tif 000016
【図１５】
2005066250.tif 000017
【図１６】
2005066250.tif 000018
【図１７】
2005066250.tif 000019